(57)【要約】【課題】強風雨時でも室内に流れ込む雨水を低減できるガラリとする。【解決手段】枠体１に複数のガラリ羽根２を取付け、この隣接したガラリ羽根２間に流通空間３を形成して室外から室内に向けて外気が流れるガラリとする。前記ガラリ羽根２の幅方向中間部に雨水受け部２ａと中間部樋２ｂを形成し、前記流通空間３に外気とともに流入した雨水の一部が雨水受け部２ａに衝突して直ちに中間部樋２ｂに溜まり、その雨水が強風雨で吹き上げられることがなく、中間部樋２ｂに溜めて枠体１に沿って排水できるガラリで、強風雨時でも室内に流れ込む雨水を低減できる。【選択図】図２
2006207250.tif 000002
【特許請求の範囲】
【請求項１】
枠体に複数のガラリ羽根を取付け、その隣接したガラリ羽根間に空気が流通する流通空間を形成したガラリにおいて、
前記ガラリ羽根の幅方向中間部に、前記流通空間に外気とともに流入した雨水の一部が衝突する雨水受け部と、この雨水受け部に衝突した雨水が溜まる中間部樋を有し、
この中間部樋に溜まった雨水が前記枠体に沿って排水されるようにしたことを特徴とするガラリ。
【請求項２】
枠体に複数のガラリ羽根を取付け、その隣接したガラリ羽根間に空気が流通する流通空間を形成したガラリにおいて、
前記ガラリ羽根の幅方向中間部に、前記流通空間に外気とともに流入した雨水の一部が衝突する雨水受け部と、この雨水受け部に衝突した雨水が溜まる中間部樋を有し、
前記複数のガラリ羽根の長手方向端面に亘って羽根取付部材を取付け、この羽根取付部材とガラリ羽根の長手方向端面との間に、前記中間部樋と対向した排水用隙間を形成し、この羽根取付部材を前記枠体に取付けることで複数のガラリ羽根を前記枠体に取付けると共に、前記中間部樋に溜まった雨水を前記排水用隙間を経て枠体に沿って排水されるようにしたことを特徴とするガラリ。
【請求項３】
ガラリ羽根の端面形状は、その中間部樋を境として幅方向室外側部分の端面が幅方向室内側部分の端面よりも長手方向に延出した段差を有する形状で、
前記羽根取付部材は、ガラリ羽根の幅方向室外側部分を取付ける幅方向室外側部とガラリ羽根の幅方向室内側部分を取付ける幅方向室内側部が段差を有する形状で、前記ガラリ羽根の中間部樋の長手方向端部が幅方向室外側部と対向して前記排水用隙間を形成している請求項２記載のガラリ。
【請求項４】
ガラリ羽根は、幅方向室外側部材と幅方向室内側部材の２部材を備え、
その幅方向室外側部材の室内側部と幅方向室内側部材の室外側部が連結され、その連結部に中間部樋を有すると共に、幅方向室外側部材の端面が幅方向室内側部材の端面よりも長手方向に延出している請求項３記載のガラリ。
【請求項５】
ガラリ羽根における少なくとも中間部樋と幅方向室外側端部との間の表面を親水性を有するものとした請求項１又は２又は３又は４記載のガラリ。
【請求項６】
親水性を有するものとして、光触媒作用を有するものとした請求項５記載のガラリ。
【発明の詳細な説明】
【技術分野】
【０００１】
本発明は、枠体に複数のガラリ羽根を取付け、その隣接したガラリ羽根間に空気が流通するようにした建物用のガラリに関する。
【背景技術】
【０００２】
特許文献１に建物用のガラリが開示されている。
このガラリは、枠体に複数のガラリ羽根が横向きで上下方向に間隔を置いて取付けてあり、その上下に隣接するガラリ羽根間に流通空間を形成し、そのガラリ羽根の幅方向の形状はヘ字状で、幅方向室外側部に樋を有し、前述の流通空間に外気とともに流入した雨水の一部がガラリ羽根の上面に沿って幅方向室外側部に流れて前述の樋に溜まるようにしたものである。
前述したガラリであれば、流通空間に外気とともに流通した雨水が室内に流れ込むことが低減する。
なお、前述の樋に溜まった雨水は、枠体の縦空間に流れ込んで排水される。
【０００３】
【特許文献１】特許第３１３８８６０号公報
【発明の開示】
【発明が解決しようとする課題】
【０００４】
前述した従来のガラリにおいては、流通空間に外気とともに流入した雨水の一部はガラリ羽根の幅方向中間部に衝突し、そのガラリ羽根の上面に沿って流れて樋に溜まるが、強風雨時などには、ガラリ羽根の上面に沿って樋に向けて流れる雨水が吹き上げられてガラリ羽根の幅方向中間部を越えて室内まで流れ込むことがあるので、強風雨時には室内に流れ込む雨水を低減できない。
【０００５】
本発明の目的は、強風雨時にも室内に流れ込む雨水を低減できるようにしたガラリを提供することである。
【課題を解決するための手段】
【０００６】
第１の発明は、枠体に複数のガラリ羽根を取付け、その隣接したガラリ羽根間に空気が流通する流通空間を形成したガラリにおいて、
前記ガラリ羽根の幅方向中間部に、前記流通空間に外気とともに流入した雨水の一部が衝突する雨水受け部と、この雨水受け部に衝突した雨水が溜まる中間部樋を有し、
この中間部樋に溜まった雨水が前記枠体に沿って排水されるようにしたことを特徴とするガラリである。
【０００７】
第２の発明は、枠体に複数のガラリ羽根を取付け、その隣接したガラリ羽根間に空気が流通する流通空間を形成したガラリにおいて、
前記ガラリ羽根の幅方向中間部に、前記流通空間に外気とともに流入した雨水の一部が衝突する雨水受け部と、この雨水受け部に衝突した雨水が溜まる中間部樋を有し、
前記複数のガラリ羽根の長手方向端面に亘って羽根取付部材を取付け、この羽根取付部材とガラリ羽根の長手方向端面との間に、前記中間部樋と対向した排水用隙間を形成し、この羽根取付部材を前記枠体に取付けることで複数のガラリ羽根を前記枠体に取付けると共に、前記中間部樋に溜まった雨水を前記排水用隙間を経て枠体に沿って排水されるようにしたことを特徴とするガラリである。
【０００８】
前述の第２の発明においては、ガラリ羽根の端面形状は、その中間部樋を境として幅方向室外側部分の端面が幅方向室内側部分の端面よりも長手方向に延出した段差を有する形状で、
前記羽根取付部材は、ガラリ羽根の幅方向室外側部分を取付ける幅方向室外側部とガラリ羽根の幅方向室内側部分を取付ける幅方向室内側部が段差を有する形状で、前記ガラリ羽根の中間部樋の長手方向端部が幅方向室外側部と対向して前記排水用隙間を形成していることが好ましい。
【０００９】
このようにすれば、ガラリ羽根の端面を羽根取付部に接して固着することで排水用隙間を形成することができるので、その排水用隙間を簡単に形成できる。
【００１０】
前述の第２の発明においては、ガラリ羽根は、幅方向室外側部材と幅方向室内側部材の２部材を備え、
その幅方向室外側部材の室内側部と幅方向室内側部材の室外側部が連結され、その連結部に中間部樋を有すると共に、幅方向室外側部材の端面が幅方向室内側部材の端面よりも長手方向に延出していることが好ましい。
【００１１】
このようにすれば、幅方向室外側部材を幅方向室内側部材よりも長くして羽根取付部材に固着することで、排水用隙間を形成できる。
したがって、排水用隙間をより一層簡単に形成できる。
【００１２】
前述の各発明においては、ガラリ羽根における少なくとも中間部樋と幅方向室外側端部との間の表面を親水性を有するものとすることが好ましい。さらに、親水性を有するものとして、高度な親水性（水接触角が低い）を達成でき、有機物分解効果を発揮する光触媒作用を有するものとすることが防汚性、防水性の両面からより好ましい。
【００１３】
このようにすれば、ガラリ羽根の表面が雨水で汚れることを防止できるとともに、ガラリ羽根に付着した雨水が吹き上げられる現象をさらに抑制でき、室内に流れ込む雨水を低減できる。
【発明の効果】
【００１４】
請求項１、請求項２に係る発明によれば、外気とともに流通空間３に流入する雨水の一部が雨水受け部２ａに衝突し、その衝突した雨水は強風雨によって吹き上げられることなく中間部樋２ｂに溜まり、排水される。
したがって、強風雨時にも室内に流れる雨水を低減できる。
【００１５】
請求項２に係る発明によれば、複数のガラリ羽根を羽根取付部材に取付け、その状態で羽根取付部材を枠体に取付けることで複数のガラリ羽根を枠体に取付けできる。
また、ガラリ羽根の中間部樋に溜まった雨水は、そのガラリ羽根と羽根取付部材との間の排水用隙間を通って羽根取付部材に沿って排水されるので、枠体には排水のための面倒で複雑な加工が不要である。
請求項５、請求項６に係る発明によれば、ガラリ羽根の表面を親水性を有するもの、さらに光触媒作用を有するものとしたことにより、ガラリ羽根の表面が雨水で汚れることを防止できると共に、ガラリ羽根に付着した雨水が吹き上げられる現象をさらに抑制でき、室内に流れ込む雨水を低減できる。
【発明を実施するための最良の形態】
【００１６】
図１と図２と図３に示すように、枠体１に複数のガラリ羽根２を取付け、その隣接したガラリ羽根２間に空気が流通する流通空間３を形成してガラリとしてある。
図１と図２と図３においては、複数のガラリ羽根２は横向きで上下方向に間隔を置いて枠体１に取付けてあり、その上下に隣接したガラリ羽根２間に流通空間３を形成して横型のガラリとしてある。
前記枠体１は、上枠１０と下枠１１と左右の縦枠１２を方形状に連結してある。
【００１７】
前記ガラリ羽根２は所定の幅と長さを有し、その幅方向中間部に、前記流通空間３に外気とともに流入した雨水の一部が衝突する雨水受け部２ａと、この雨水受け部２ａに衝突した雨水が溜まる中間部樋２ｂを有する。好ましくは、雨水受け部２ａと中間部樋２ｂの幅方向室外側部が連続している。
この中間部樋２ｂに溜まった雨水は枠体１に沿って排水される。
このようであるから、雨水受け部２ａに衝突した雨水は強風雨によって吹き上げられることなく中間部樋２ｂに溜まり、排水されるので、強風雨時にも室内に流れ込む雨水を低減できる。
【００１８】
前述の複数のガラリ羽根２は図２と図３に示すように、羽根取付部材２０に間隔を置いて固着され、その羽根取付部材２０を枠体１に取付けることで複数のガラリ羽根２が枠体１に取付けてある。
前記羽根取付部材２０と各ガラリ羽根２における中間部樋２ｂ部分の端面との間には排水用隙間２１がそれぞれ形成され、その中間部樋２ｂに溜まった雨水は排水用隙間２１から羽根取付部材２０に沿って流れて排水される。
【００１９】
このようであるから、複数のガラリ羽根２を羽根取付部材２０に取付けた後に、その羽根取付部材２０を枠体１に取付けることで複数のガラリ羽根２を枠体１に取付けできる。
したがって、複数のガラリ羽根２を枠体１に取付ける作業が簡単である。
また、枠体１に排水のための複雑で面倒な加工が不要である。
【００２０】
この実施の形態では、複数のガラリ羽根２の両端面に左右の羽根取付部材２０がそれぞれ固着され、その左右の羽根取付部材２０が左右の縦枠１２にそれぞれ取付けてある。
そして、中間部樋２ｂに溜まった雨水は左右の羽根取付部材２０に沿って下枠１１まで流れ落ち、図２に示すように下枠１１の上面１１ａに沿って室外側に流れ落ちて排水される。
【００２１】
前記縦枠１２は内向きの凹部１２ａを有し、この凹部１２ａ内に羽根取付部材２０が取付けてあり、その排水用隙間２１は凹部１２ａ内に位置している。
これによって、羽根取付部材２０に沿って流れる雨水が外気の流れ（風）の影響を受けにくいので、スムーズに流れ落ちる。
【００２２】
前記ガラリ羽根２と羽根取付部材２０を次の形状とすることで排水用隙間２１を簡単に形成できる。
前記ガラリ羽根２の端面形状は、雨水受け部２ａと中間部樋２ｂを有する幅方向室内側部分２−１の端面２−１ａが残りの幅方向室外側部分２−２の端面２−２ａよりも長手方向に延出した段差を有する形状である。
前記羽根取付部材２０は幅方向室外側部２２と幅方向室内側部２３が段差を有する形状で、その幅方向室外側部２２に前記ガラリ羽根２の幅方向室外側部分２−２の端面２−２ａを接して固着し、幅方向室内側部２３に前記ガラリ羽根２の幅方向室内側部分２−１の端面２−１ａを接して固着して中間部樋２ｂを幅方向室外側部２２と対向させ、前述の排水用隙間２１を形成する。
【００２３】
このようにすることで、ガラリ羽根２の端面形状を、幅方向室外側部分２−２の端面２−２ａが幅方向室内側部分２−１の端面２−１ａよりも長手方向に延出した段差を有する形状とするだけで、ガラリ羽根２と羽根取付部材２０との間に中間部樋２ｂと対向した排水用隙間２１を形成できる。
なお、後述するようにガラリ羽根２の幅方向室内側部分２−１と幅方向室外側部分２−２を別部材とすれば、より一層簡単に排水用隙間２１を形成できる。
【００２４】
前記羽根取付部材２０は、図３に示すようにガラリ羽根２を固着する表面と反対側の裏面に取付片２４を備え、この取付片２４を縦枠１２の凹部１２ａの底壁にビス２５で固着して取付けてある。
この羽根取付部材２０の裏面と凹部１２ａの底壁との間には排水用空間２６が形成してある。
【００２５】
前記ガラリ羽根２は図２に示すように、幅方向の形状がへ字状で、幅方向中間部が幅方向室内側端部、室外側端部よりも高くなっている。
そして、流通空間３の流通方向の形状もへ字状となっている。
前記ガラリ羽根２の幅方向室内側端部には室内側上部樋２ｃと室内側下部樋２ｄが形成してある。
【００２６】
このようであるから、前述のように流通空間３に外気とともに流入しガラリ羽根２の幅方向中間部の雨水受け部２ａを越えた雨水は、上のガラリ羽根２の室内側下部樋２ｄと下のガラリ羽根２の室内側上部樋２ｃに溜める。
この室内側上部・下部樋２ｃ，２ｂに溜まった雨水は枠体１の室外側に排水される。例えば、図３に示すように縦枠１２と羽根取付部材２０との間の排水用空間２６に沿って流れ落ち、図２に示すように、下枠１１の上面１１ａに沿って室外側に流れ落ちて排水される。
【００２７】
前記ガラリ羽根２を２部材で形成した実施の形態を説明する。
前記ガラリ羽根２は前述の幅方向室外側部分２−２に相当する幅方向室外側部材３０と前述の幅方向室内側部分２−１に相当する幅方向室内側部材４０の２部材を備え、その幅方向室外側部材３０の室内側部と幅方向室内側部材４０の室外側部を連結して中間部樋２ｂを形成している。この幅方向室内側部材４０の室外側に雨水受け部２ａが設けてある。
前記幅方向室外側部材３０は、室外側垂下片３１と横板３２と室内側垂下片３３で幅方向の形状が下向きコ字状で、その横板３２は水平に対して斜めである。この横板３２の下面にはビスホール３４が長手方向に連続して形成してある。
前記幅方向室内側部材４０は、室外側板４１と室内側板４２を連結板４３で連結した幅方向の形状が略Ｈ字状で、その室外側板４１は室外側に開口した略コ字形状で、かつ下部に係止片４４を有し、この係止片４４と前記室内側垂下片３３が係合して連結され、その室内側垂下片３３と室外側板４１で中間部樋２ｂを形成している。前記室外側板４１の上部が雨水受け部２ａを形成している。
前記室内側板４２の上部４２ａと連結板４３で前記室内側上部樋２ｃを形成し、その室内側板４２の下部４２ｂが室外側に向けて略Ｃ字状に湾曲して前記室内側下部樋２ｄを形成している。
前記連結板４３の下面にビスホール４５が長手方向に連続して形成してある。
【００２８】
前記幅方向室外側部材３０の長手方向端面が羽根取付部材２０の幅方向室外側部２２に接し、ビス３５をビスホール３４に螺合して固着される。
前記幅方向室内側部材４０の長手方向端面が羽根取付部材２０の幅方向室内側部２３に接し、ビス４６をビスホール４５に螺合して固着される。
これによって、幅方向室内側部材４０の室内側部が羽根取付部材２０の幅方向室内側端部よりも室内側に突出し、室内側上部樋２ｃ、室内側下部樋２ｄが前述の排水用空間２６と対向する。
したがって、室内側上部樋２ｃ、室内側下部樋２ｄに溜まった雨水が図４に矢印で示すように排水用空間２６に流れ落ち、羽根取付部材２０の取付片２４、幅方向室外側の外向片２７の下部の切欠部２４ａ，２７ａから下枠１１の上面１１ａに流れて排水される。
【００２９】
前記ガラリ羽根２の表面を親水性を有するものとすれば、その表面が雨水によって汚れることを防止できるとともに、ガラリ羽根２に付着した雨水が吹き上げられる現象をさらに抑制でき、室内に流れ込む雨水を低減できる。
例えば、ガラリ羽根２を親水性の材料で形成する。または、ガラリ羽根２の表面に親水性の材料を塗布する。
前述の親水性を有するものとしては、高度な親水性（水接触角が低い）を達成でき、有機物分解効果を発揮する光触媒作用を有するものが好ましい。
前述の親水性を有する部分は、ガラリ羽根２の幅方向全ての表面でも良いが、中間部樋２ｂよりも室外側の表面のみとすることが好ましい。
このようにした場合には、前述のように２部材でガラリ羽根を形成すれば、その幅方向室外側部材３０のみを親水処理できるので、好ましい。
すなわち、ガラリ羽根２における少なくとも中間部樋２ｂと幅方向室外側端部との間の表面を親水性を有するものとすれば良い。
【００３０】
前記ガラリ羽根２は図５に示すように、幅方向室内側部材４０の係止片４４を幅方向室外側部材３０の横板３２の下面に係合する形状でも良い。
【００３１】
また、図６に示すようにガラリ羽根２の幅方向室外側端部（室外側垂下片３１）に装飾部材３６を取付けて外観意匠を任意なものにしても良い。この場合には装飾部材３６の材質を任意なものにできる。
【００３２】
また、図７に示すようにガラリ羽根２の幅方向室内側部材４０を共通とし、形状の異なる幅方向室外側部材３０を連結してガラリ羽根２の外観意匠を異なるものにすることもできる。なお、図示は省略するが、ガラリ羽根２は一体形状でもよい。
【００３３】
次に、縦型のガラリの実施の形態を説明する。
図８と図９に示すように、枠体１に複数のガラリ羽根２を縦向きで左右方向に間隔を置いて取付け、その左右に隣接したガラリ羽根２間に流通空間３を形成している。
前記複数のガラリ羽根２の下の端面が羽根取付部材２０に接して固着され、その羽根取付部材２０が下枠１１に取付けてある。
例えば、羽根取付部材２０の取付片２４を下枠１１の立上り片１１ｂにビス２５で固着して取付けられ、下枠１１の上面１１ａと羽根取付部材２０との間に排水用空間２６を形成する。
【００３４】
前述の横型のガラリと同様に、外気とともに流通空間３に流通した雨水の一部は雨水受け部２ａに衝突して中間部樋２ｂに沿って羽根取付部材２０の幅方向室外側部分２２の上面に流れ落ち、その上面に沿って流れて下枠１１の上面１１ａから室外側に流れて排水される。
また、前述の雨水受け部２ａを越えた雨水は室内側上部樋２ｃ、室内側下部樋２ｄ（この場合には上下ではなく左右樋となる）に沿って流れて排水空間２６に落下し、下枠１１の上面１１ａに沿って図１０に示すように左右方向に流れ、下枠１１の立上り片１１ｂ、羽根取付部材２０の取付片２４の切欠部を通り、外向片２７の切欠部２７ａから室外側に流れ落ちて排水される。
【００３５】
この実施の形態の場合には羽根取付部材２０はガラリ羽根２の下の端面に接して固定されているだけであり、ガラリ羽根２の上部が振れ動いたりする恐れがあるので、図８に示すように平板状の連結材２８を複数のガラリ羽根２の上の端面に亘って接し、ビス２９でそれぞれ固着してある。
なお、ガラリ羽根２を上枠１０に直接ビス等で固着しても良い。
【００３６】
次に、本発明の第２の実施の形態を説明する。
この第２の実施の形態は、図１１〜図１４に示すように、ガラリ羽根２の幅方向室内側部分２−１の端面２−１ａと幅方向室外側部分２−２の端面２−２ａが長手方向に同一位置であること、羽根取付部材２０の幅方向室外側部２２と幅方向室内側部２３が面一で、その幅方向室外側部２２と幅方向室内側部２３との間（幅方向中間部）に凹陥部５０を有し、その凹陥部５０とガラリ羽根２の端面との間に前述の排水用隙間２１を形成していることが、前述の第１の実施の形態と相違し、他の構成は同様である。
なお、この第２の実施の形態ではガラリ羽根２は一体形状としてあるが、前述の第１の実施の形態のように２部材としても良い。
【００３７】
図１１と図１２は横型のガラリの縦断面図、横断面図で、羽根取付部材２０の中間部樋２ｂを形成する部分の端面が凹陥部５０と対向し、その中間部樋２ｂが排水用隙間２１と対向している。この羽根取付部材２０の凹陥部５０を形成する部分の下端部が切欠きされている。
前述の排水用隙間２１に流れ落ちた雨水は、下枠１１の上面１１ａに沿って室外側に排水されている。
前記ガラリ羽根２の室内側上部・下部樋２ｃ，２ｄに溜まった雨水は縦枠１２と羽根取付部材２０との間の排水用空間２６に流れ、前述の凹陥部５０の切欠部５０ａを通って下枠１１の上面１１ａに沿って室外側に排水される。
【００３８】
図１３と図１４は縦型のガラリの縦断面図、横断面図で、羽根取付部材２０は複数のガラリ羽根２の下の端面（２−１ａ，２−２ａ）に接して固着され、その羽根取付部材２０の中間部樋２ｂを形成する部分の下の端面が羽根取付部材２０の凹陥部５０と対向し、その中間部樋２ｂが排水用隙間２１と対向している。この羽根取付部材２０の凹陥部５０を形成する部分の長手方向両端部が切欠きされている。
前述の排水用隙間２１に流れ落ちた雨水は、その凹陥部２１の切欠部５０ａを通って下枠１１の上面１１ａに沿って室外側に排水される。
前記ガラリ羽根２の室内側上部・下部樋２ｃ，２ｄに沿って流れた雨水は、下枠１１と羽根取付部材２０との間の排水用空間２６に流れ、前述の凹陥部５０の切欠部５０ａを通って下枠１１の上面１１ａに沿って室外側に排水される。
図１３に示すように、前記羽根取付部材２０の凹陥部５０を形成する部分が下枠１１の立上り片１１ｂにビス２５で固着されている。
【００３９】
この第２の実施の形態によれば、羽根取付部材２０の幅方向室外側部２２と幅方向室内側部２３が段差を有しない面一で、その幅方向中間部に凹陥部５０を有する形状であるからガラリ羽根２の長手方向両端面を長手方向と直角で相互に平行な一直線状の端面形状とし、その端面を羽根取付部材２０に接して固着することで両者の間に排水用隙間２１を形成することができる。
【００４０】
また、この第２の実施の形態においてもガラリ羽根２の表面を、前述の第１の実施の形態と同様に親水性を有するものとしても良い。
【００４１】
次に、前述のガラリ羽根２の表面の親水性処理についての実施例を説明する。
押出機によってアルミ押出成形にて図１４に示す断面形状のガラリ羽根を製作した。
【００４２】
比較例
前述のガラリ羽根全体にフッ素塗装である日本ペイント（株）製デュフロンＫ５００（色：白）及び専用プライマー塗料を用いて、まずプライマー塗料をスプレー塗布し、次いでデュフロンＫ５００をスプレー塗布し、その後、２５０℃で３０分間焼き付けしフッ素塗装を施した。
【００４３】
実施例１
前述のガラリ羽根全体に親水性フッ素塗装である日本ペイント（株）製デュフロンＫ５００ＳＣ（色：白）及び専用プライマー塗料を用いて、まずプライマー塗料をスプレー塗布し、次いでデュフロンＫ５００ＳＣをスプレー塗布し、その後、２５０℃で３０分間焼き付けし親水性フッ素塗装を施した。
【００４４】
実施例２
比較例で作製したフッ素塗装済みガラリ羽根上にハイドロ＆エナジィ（株）製親水性コーティング剤「らく太郎」をスプレー塗布し、その後、常温で乾燥させ親水性フッ素塗装を施した。
【００４５】
実施例３
比較例で作製したフッ素塗装済みガラリ羽根上に日本曹達（株）製光触媒膜コーティング剤「ビストレーターＮＳＣ−２００Ａ」をスプレー塗布し、９０℃で３０分間加熱して硬化させて中間層を形成し、次いで日本曹達（株）製光触媒幕コーティング剤「ビストレーターＮＳＣ−２００Ｃ」をスプレー塗布し、１２０℃で３０分間加熱して硬化させて光り触媒層を成膜し光触媒塗装を施した。
【００４６】
試験例１：水触媒角
比較例及び実施例１〜３の各ガラリ羽根を屋外に３ヶ月暴露し、暴露後の各試料の水接触角を測定した。その結果を表１に示す。
【００４７】
【表１】
2006207250.tif 000003
【００４８】
表１に示されるように、水接触角は光触媒塗装＜親水性塗装＜親水性フッ素塗装＜フッ素塗装の順で大きくなった。
【００４９】
試験例２：防水性能
図１５に防水性能測定装置の概要を示す。
長さ１ｍに切断した比較例及び実施例１〜３のガラリ羽根６０を図１５（ａ）に示すように、防水性測定ボックス６１の開口部６２（１ｍ×１ｍの大きさ）に等間隔に立てた状態でピッチ５０ｍｍで設置した。
次いで、図１５（ｂ）の散水ノズル６３から流量４Ｌ／分・ｍ２の水をガラリ羽根６０に向かってスプレー噴霧した。
次に、図１５（ｂ）のファンを用いて任意の速度の風をガラリ羽根６０の表面に照射し、防水性測定ボックス６１内部に入り込んでくる水量（漏水量と称する）を測定した。
【００５０】
風速と単位時間当たりの漏水量の関係を図１６に示す。
【００５１】
図１６から漏水量と風速には相関関係があり、風速が大きくなれば漏水量が大きくなる。
ここで、比較例と実施例１〜３の漏水量を比較すると、同一風速の場合、漏水量は実施例３（光触媒塗装）＜実施例２（親水性塗装）＜実施例１（親水性フッ素塗装）＜比較例（フッ素塗装）の順で大きくなり、表１の水接触角の順序列明確な相関関係が認められた。
これは水接触角低下に伴い、ガラリ羽根に付着した水の状態が水滴状から膜状に変化し、風によって飛散し難くなった効果、及び水接触角低下に伴い、ガラリ羽根上を滑り落ちる水の速度が増加した効果と考えられる。
【図面の簡単な説明】
【００５２】
【図１】横型のガラリの内観図である。
【図２】横型のガラリの縦断面図である。
【図３】横型のガラリの横断面図である。
【図４】枠体とガラリ羽根の取り合いを示す斜視図である。
【図５】ガラリ羽根の第２の実施の形態を示す断面図である。
【図６】ガラリ羽根の第３の実施の形態を示す断面図である。
【図７】ガラリ羽根の第４の実施の形態を示す断面図である。
【図８】縦型のガラリの縦断面図である。
【図９】縦型のガラリの横断面図である。
【図１０】枠体のガラリ羽根の取り合いを示す斜視図である。
【図１１】本発明の第２の実施の形態を示す横型ガラリの縦断面図である。
【図１２】本発明の第２の実施の形態を示す横型ガラリの横断面図である。
【図１３】本発明の第２の実施の形態を示す縦型ガラリの縦断面図である。
【図１４】本発明の第２の実施の形態を示す縦型ガラリの横断面図である。
【図１５】防水性能測定装置の説明図である。
【図１６】風速と単位時間当たりの漏水量の関係を示す図表である。
【符号の説明】
【００５３】
１…枠体、２…ガラリ羽根、２ａ…雨水受け部、２ｂ…中間部樋、２−１…幅方向室内側部分、２−１ａ…端面、２−２…幅方向室外側部分、２−２ａ…端面、３…流通空間、２０…羽根取付部材、２１…排水用隙間、２２…幅方向室外側部、２３…幅方向室内側部、３０…幅方向室外側部材、４０…幅方向室内側部材
【図１】
2006207250.tif 000004
【図２】
2006207250.tif 000005
【図３】
2006207250.tif 000006
【図４】
2006207250.tif 000007
【図５】
2006207250.tif 000008
【図６】
2006207250.tif 000009
【図７】
2006207250.tif 000010
【図８】
2006207250.tif 000011
【図９】
2006207250.tif 000012
【図１０】
2006207250.tif 000013
【図１１】
2006207250.tif 000014
【図１２】
2006207250.tif 000015
【図１３】
2006207250.tif 000016
【図１４】
2006207250.tif 000017
【図１５】
2006207250.tif 000018
【図１６】
2006207250.tif 000019